(57)【要約】【課題】宛先情報が記載された記録紙の保管の手間を軽減すると共に、宛先情報の一部を簡単に書き換えることができる情報処理装置を提供する。【解決手段】当該装置は、対象識別子を取得する識別子取得手段（Ｓ３７）と、対象識別子に対応づけられた宛先画像データで示される宛先画像、及び修正された第１情報である修正第１情報が記入される記入領域を含む修正前画像を記録紙に記録させる記録指示を出力する記録指示手段（Ｓ３８）と、記入領域に修正第１情報が記入された記録紙を読み取ることによって生成され、且つ修正第１情報を表す修正第１画像を含む修正後画像データを取得する修正後画像取得手段（Ｓ４１）と、対象識別子に対応づけられた宛先画像の第１画像を修正第１画像で置換した修正宛先画像データを、対象識別子と対応づけて記憶部に記憶させる記憶制御手段（Ｓ４２）とを含む。【選択図】図７
2015126495.tif 000002
【特許請求の範囲】
【請求項１】
外部装置と通信する通信部と、
各々が配送物の宛先を表す複数の宛先画像が記録された原稿を読み取ることによって生成された複数の宛先画像データを、当該宛先画像データを識別する識別子と対応づけて記憶する記憶部と、
制御部と、を備えており、
前記宛先画像は、宛先の第１情報を表す第１画像と、宛先の第２情報を表す第２画像とで構成されており、
前記制御部は、
前記識別子のうちの１つである対象識別子を前記通信部を通じて外部装置から取得する識別子取得手段と、
前記対象識別子に対応づけられた前記宛先画像データで示される前記宛先画像、及び修正された前記第１情報である修正第１情報が記入される記入領域を含む修正前画像を記録紙に記録させる記録指示を、前記通信部を通じて外部装置に出力する記録指示手段と、
前記記入領域に前記修正第１情報が記入された前記記録紙を読み取ることによって生成され、且つ前記修正第１情報を表す修正第１画像を含む修正後画像データを、前記通信部を通じて外部装置から取得する修正後画像取得手段と、
前記対象識別子に対応づけられた前記宛先画像の前記第１画像を前記修正第１画像で置換した修正宛先画像データを、前記対象識別子と対応づけて前記記憶部に記憶させる記憶制御手段と、を含む情報処理装置。
【請求項２】
前記記録指示手段は、前記第１画像を第１濃度で前記記入領域に記録させる前記記録指示を、前記通信部を通じて外部装置に出力し、
前記修正後画像取得手段は、前記第１濃度より濃い第２濃度で前記記入領域に記録された前記修正第１画像を含む前記修正後画像データを、前記通信部を通じて外部装置から取得する請求項１に記載の情報処理装置。
【請求項３】
前記記録指示手段は、前記第１画像と前記記入領域とが隣接して配置された前記修正前画像を前記記録紙に記録させる前記記録指示を、前記通信部を通じて外部装置に出力する請求項１に記載の情報処理装置。
【請求項４】
前記制御部は、
前記対象識別子に対応づけられた前記宛先画像データで示される前記宛先画像を外部装置の表示部に表示させる表示指示を、前記通信部を通じて外部装置に出力する表示指示手段と、
前記宛先画像が表示された前記表示部上において指定された領域であって、前記第１画像の一部の領域を特定する領域特定情報を、前記通信部を通じて外部装置から取得する領域特定情報取得手段と、を含み、
前記記録指示手段は、前記領域特定情報で特定される領域を空白に置換した前記第１画像を前記記入領域に記録させる前記記録指示を、前記通信部を通じて外部装置に出力する請求項１に記載の情報処理装置。
【請求項５】
前記制御部は、前記宛先画像データで示される前記宛先画像と、当該宛先画像データに対応づけられた前記識別子との複数の組を含む一覧画像を提示させる一覧提示指示を、前記通信部を通じて外部装置に出力する一覧提示指示手段を含み、
前記識別子取得手段は、前記一覧画像に含まれる複数の前記識別子のうちから選択された前記対象識別子を、前記通信部を通じて外部装置から取得する請求項１から４のいずれかに記載の情報処理装置。
【請求項６】
前記記憶部に記憶されている複数の前記宛先画像データは、各々にｎ（ｎは自然数）個の前記宛先画像が記録された２以上の前記原稿を、外部装置に読み取らせて生成されたものであり、
前記一覧提示指示手段は、ｍ（ｍはｎより大きい自然数）個の前記宛先画像を含む前記一覧画像を１つの一覧記録紙に記録させる前記一覧提示指示を、前記通信部を通じて外部装置に出力する請求項５に記載の情報処理装置。
【請求項７】
前記制御部は、前記宛先画像に含まれ得るキー情報を、前記通信部を通じて外部装置から取得するキー情報取得手段を含み、
前記一覧提示指示手段は、前記記憶部に記憶された前記宛先画像データで示される複数の前記宛先情報のうち、前記キー情報を含む前記宛先画像のみを前記識別子と対応づけた前記一覧画像を提示させる前記一覧提示指示を、前記通信部を通じて外部装置に出力する請求項５又は６に記載の情報処理装置。
【請求項８】
前記一覧提示指示手段は、前記宛先画像のうちの宛先の名前を表す画像のみを前記識別子と対応づけた前記一覧画像を提示させる前記一覧提示指示を、前記通信部を通じて外部装置に出力する請求項５から７のいずれかに記載の情報処理装置。
【請求項９】
前記記録指示手段は、前記対象識別子を含む前記修正前画像を前記記録紙に記録させる前記記録指示を、前記通信部を通じて外部装置に出力し、
記憶制御手段は、前記修正後画像データから抽出された前記対象識別子に対応づけられた前記宛先画像の前記第１画像を前記修正第１画像で置換する請求項１から８のいずれかに記載の情報処理装置。
【請求項１０】
前記第１情報は、宛先の氏名、及び宛先の住所の一方を含み、
前記第２情報は、宛先の氏名、及び宛先の住所の他方を含む請求項１から９のいずれかに記載の情報処理装置。
【請求項１１】
画像を記録紙に記録する記録部と、
記録紙に記録された画像を読み取って画像データを生成する読取部と、
各々が配送物の宛先を表す複数の宛先画像が記録された原稿を読み取ることによって生成された複数の宛先画像データを、当該宛先画像データを識別する識別子と対応づけて記憶する記憶部と、
制御部と、を備えており、
前記宛先画像は、宛先の第１情報を表す第１画像と、宛先の第２情報を表す第２画像とで構成されており、
前記制御部は、
前記識別子のうちの１つである対象識別子を取得する識別子取得手段と、
前記対象識別子に対応づけられた前記宛先画像データで示される前記宛先画像、及び修正された前記第１情報である修正第１情報が記入される記入領域を含む修正前画像を記録紙に対して前記記録部に記録させる記録手段と、
前記記入領域に前記修正第１情報が記入された前記記録紙を前記読取部に読み取らせることによって、前記修正第１情報を表す修正第１画像を含む修正後画像データを生成させる生成手段と、
前記対象識別子に対応づけられた前記宛先画像の前記第１画像を前記修正第１画像で置換した修正宛先画像データを、前記対象識別子と対応づけて前記記憶部に記憶させる記憶制御手段と、を含む情報処理システム。
【請求項１２】
外部装置と通信する通信部と、各々が配送物の宛先を表す複数の宛先画像が記録された原稿を読み取ることによって生成された複数の宛先画像データを、当該宛先画像データを識別する識別子と対応づけて記憶する記憶部と、を備えるコンピュータによって実行可能なプログラムであって、
前記宛先画像は、宛先の第１情報を表す第１画像と、宛先の第２情報を表す第２画像とで構成されており、
該プログラムは、
前記識別子のうちの１つである対象識別子を前記通信部を通じて外部装置から取得し、
前記対象識別子に対応づけられた前記宛先画像データで示される前記宛先画像、及び修正された前記第１情報である修正第１情報が記入される記入領域を含む修正前画像を記録紙に記録させる記録指示を、前記通信部を通じて外部装置に出力し、
前記記入領域に前記修正第１情報が記入された前記記録紙を読み取ることによって生成され、且つ前記修正第１情報を表す修正第１画像を含む修正後画像データを、前記通信部を通じて外部装置から取得し、
前記対象識別子に対応づけられた前記宛先画像の前記第１画像を前記修正第１画像で置換した修正宛先画像データを、前記対象識別子と対応づけて前記記憶部に記憶させる処理を、前記コンピュータに実行させるプログラム。
【発明の詳細な説明】
【技術分野】
【０００１】
本発明は、宛先を示す宛先画像を記録紙に記録する処理を記録装置に実行させる情報処理装置に関する。
【背景技術】
【０００２】
従来より、読取装置から画像データを取得し、当該画像データから抽出した画像を記録紙に対して記録装置に記録させるサーバ装置が知られている。例えば特許文献１には、差出人カードと、宛名カードと、差出人カード及び宛名カードを関連付ける住所録カードとに予め記入された情報を読取装置に読み取らせ、得られた画像を割り付け領域に割り付けることによって、宛名を葉書に印刷する技術が提案されている。
【先行技術文献】
【特許文献】
【０００３】
【特許文献１】特開２００１−２１７９６６号公報
【発明の概要】
【発明が解決しようとする課題】
【０００４】
しかしながら、特許文献１に記載の技術では、同一の宛先に繰り返し葉書を送付するために宛先カードをユーザが保管しておかなければならない。また、宛先の名前又は住所（以下、これらを総称して「宛先情報」と表記する。）が変更された場合に、ユーザは、変更されていない箇所も含めて宛先カードを書き直す必要がある。
【０００５】
本発明は、上記の事情に鑑みてなされたものであり、その目的は、宛先情報が記載された記録紙の保管の手間を軽減すると共に、宛先情報の一部を簡単に書き換えることができる情報処理装置を提供することにある。
【課題を解決するための手段】
【０００６】
本明細書に記載の情報処理装置は、外部装置と通信する通信部と、各々が配送物の宛先を表す複数の宛先画像が記録された原稿を読み取ることによって生成された複数の宛先画像データを、当該宛先画像データを識別する識別子と対応づけて記憶する記憶部と、制御部とを備える。前記宛先画像は、宛先の第１情報を表す第１画像と、宛先の第２情報を表す第２画像とで構成されている。そして、前記制御部は、前記識別子のうちの１つである対象識別子を前記通信部を通じて外部装置から取得する識別子取得手段と、前記対象識別子に対応づけられた前記宛先画像データで示される前記宛先画像、及び修正された前記第１情報である修正第１情報が記入される記入領域を含む修正前画像を記録紙に記録させる記録指示を、前記通信部を通じて外部装置に出力する記録指示手段と、前記記入領域に前記修正第１情報が記入された前記記録紙を読み取ることによって生成され、且つ前記修正第１情報を表す修正第１画像を含む修正後画像データを、前記通信部を通じて外部装置から取得する修正後画像取得手段と、前記対象識別子に対応づけられた前記宛先画像の前記第１画像を前記修正第１画像で置換した修正宛先画像データを、前記対象識別子と対応づけて前記記憶部に記憶させる記憶制御手段とを含む。
【発明の効果】
【０００７】
本明細書に記載の情報処理装置によれば、宛先情報が記載された記録紙の保管の手間を軽減すると共に、宛先情報の一部を簡単に書き換えることができる。
【図面の簡単な説明】
【０００８】
【図１】図１は、実施形態における情報処理システム１００の概略図である。
【図２】図２は、情報処理システム１００の動作を示すフローチャートである。
【図３】図３は、宛先シート７０の一例であって、（Ａ）は宛先情報が記入される前の状態、（Ｂ）は宛先情報が記入された後の状態を示す。
【図４】図４は、差出人シート８０の一例であって、（Ａ）は差出人情報が記入される前の状態、（Ｂ）は差出人情報が記入された後の状態を示す。
【図５】図５は、データ記憶領域５８Ｂに記憶された識別子及び宛先画像データの一例を示す図である。
【図６】図６は、宛先画像及び差出人画像が記録された葉書９１〜９３を示す図である。
【図７】図７は、宛先画像データ修正処理のフローチャートである。
【図８】図８は、一覧画像が記録された一覧記録紙の一例である。
【図９】図９は、宛先修正シート１１０を示す図であって、（Ａ）は修正住所情報が記入される前の状態、（Ｂ）修正住所情報が記入された後の状態を示す。
【図１０】図１０は、宛先修正シート１１０Ａを示す図であって、（Ａ）は修正住所情報が記入される前の状態、（Ｂ）は修正住所情報が記入された後の状態を示す。
【図１１】図１１は、（Ａ）が宛先画像が表示された表示部２３上で修正領域が特定された状態を示す図、（Ｂ）が修正領域が空白に置換された宛先画像が記録された宛先修正シート１１０Ｂを示す図である。
【図１２】図１２は、情報処理システム１００の他の例を示す概略図である。
【発明を実施するための形態】
【０００９】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００１０】
図１は、本実施形態における情報処理システム１００の概略図である。図１に示される情報処理システム１００は、複合機１０と、情報処理装置５０とで構成されている。複合機１０及び情報処理装置５０は、通信ネットワーク１０２を介して相互に通信可能とされている。通信ネットワーク１０２の具体例は特に限定されないが、例えば、有線ＬＡＮ（Ｌｏｃａｌ  Ａｒｅａ  Ｎｅｔｗｏｒｋの略）、無線ＬＡＮ、ＷＡＮ（Ｗｉｄｅ  Ａｒｅａ  Ｎｅｔｗｏｒｋの略）、或いはこれらの組み合わせであってもよい。
【００１１】
［複合機１０］
複合機１０は、図１に示されるように、プリンタ部１１と、スキャナ部１２と、表示部２３と、操作部２４と、通信部２５と、ＣＰＵ２７と、記憶部２８と、通信バス２９とを主に備える。複合機１０を構成する各構成要素は、通信バス２９を介して相互に接続されている。複合機１０は、画像処理装置或いは外部装置の一例である。
【００１２】
プリンタ部１１は、外部装置から取得した画像データで示される画像を記録紙に記録するプリント処理を実行する。プリンタ部１１のプリント方式は特に限定されないが、例えば、インクジェット方式や電子写真方式などの公知の方式を採用することができる。プリンタ部１１は、記録装置或いは記録部の一例である。スキャナ部１２は、記録紙に記録されている画像を読み取って画像データを生成するスキャン処理を実行する。スキャナ部１２は、読取装置或いは読取部の一例である。また、複合機１０は、スキャナ部１２で生成された画像データで示される画像をプリンタ部１１で記録紙に記録するコピー機能、或いはＦＡＸの送受信を行うＦＡＸ機能等をさらに有していてもよい。
【００１３】
［表示部２３］
表示部２３は、各種情報を表示する表示画面を備える。表示部２３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。表示部２３は、表示装置の一例である。
【００１４】
［操作部２４］
操作部２４は、表示部２３の表示画面に表示されたオブジェクトを選択するユーザの操作を検知する。具体的には、操作部２４は、例えば押ボタンを有しており、押下された押ボタンに対応づけられた各種の操作信号をＣＰＵ２７へ出力する。さらに、操作部２４は、表示部２３の表示画面に重畳された膜状のタッチセンサを有していてもよい。すなわち、表示部２３がタッチパネルディスプレイとして構成されてもよい。タッチセンサには、静電容量方式、抵抗膜方式等の周知の方式を採用することができる。
【００１５】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク等であって、タップ位置に表示されたオブジェクトが選択されてもよい。
【００１６】
［通信部２５］
通信部２５は、通信ネットワーク１０２を通じて外部装置と通信を行うためのインタフェースである。すなわち、複合機１０は、通信部２５を通じて情報処理装置５０に各種データ又は各種情報を出力し、通信部２５を通じて情報処理装置５０から各種データ又は各種情報を取得する。
【００１７】
［ＣＰＵ２７］
ＣＰＵ（Ｃｅｎｔｒａｌ  Ｐｒｏｃｅｓｓｉｎｇ  Ｕｎｉｔの略）２７は、複合機１０の全体動作を制御するものである。ＣＰＵ２７は、操作部２４から出力される操作信号、及び通信部２５を通じて情報処理装置５０から取得した各種情報或いは各種データ等に基づいて、後述する各種プログラムを記憶部２８から取得して実行する。すなわち、ＣＰＵ２７及び記憶部２８は、制御部の一例を構成する。
【００１８】
［記憶部２８］
記憶部２８は、プログラム記憶領域２８Ａと、データ記憶領域２８Ｂとを有する。プログラム記憶領域２８Ａには、ＯＳ（Ｏｐｅｒａｔｉｎｇ  Ｓｙｓｔｅｍの略）３０と、画像処理プログラム３１とが格納される。なお、画像処理プログラム３１は、単一のプログラムであってもよいし、複数のプログラムの集合体であってもよい。後述する情報処理プログラム６１についても同様である。データ記憶領域２８Ｂには、画像処理プログラム３１の実行に必要なデータ或いは情報が記憶される。
【００１９】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００２０】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２”というテキスト形式の情報として保持され、別のコンピュータでは二進数表記で”１０”というバイナリ形式の情報として保持されてもよい。
【００２１】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００２２】
記憶部２８は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ２７が備えるバッファ等、或いはそれらの組み合わせによって構成される。なお、記憶部２８は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。一方、インターネット上のサーバなどからダウンロードされるプログラムを搬送する電気信号は、ｎｏｎ−ｔｒａｎｓｉｔｏｒｙな媒体には含まれない。
【００２３】
プログラム記憶領域２８Ａに記憶されているプログラムは、ＣＰＵ２７によって実行される。しかしながら、本明細書では、ＣＰＵ２７を省略して各プログラムの動作を説明することがある。すなわち、以下の説明において、「プログラムＡが処理Ａを実行する」という趣旨の記述は、「ＣＰＵ２７がプログラムＡに記述された処理Ａを実行する」ことを指してもよい。後述する情報処理装置５０についても同様である。
【００２４】
ＯＳ３０は、複合機１０を構成するハードウェアであるプリンタ部１１、スキャナ部１２、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３０が提供するＡＰＩを呼び出すことによって、各ハードウェアを制御する。しかしながら、本明細書では、ＯＳ３０を省略して各プログラムの動作を説明する。すなわち、以下の説明において、「プログラムＢがハードウェアＣを制御する」という趣旨の記述は、「プログラムＢがＯＳ３０のＡＰＩを通じてハードウェアＣを制御する」ことを指してもよい。後述する情報処理装置５０についても同様である。
【００２５】
［情報処理装置５０］
情報処理装置５０は、図１に示されるように、表示部５３と、操作部５４と、通信部５５と、ＣＰＵ５７と、記憶部５８と、通信バス５９とを主に備える。情報処理装置５０に含まれる表示部５３、操作部５４、通信部５５、ＣＰＵ５７、記憶部５８、及び通信バス５９は、複合機１０に含まれる表示部２３、操作部２４、通信部２５、ＣＰＵ２７、記憶部２８、及び通信バス２９と共通するので、再度の説明は省略する。情報処理装置５０は、例えば、インターネット上のサーバ装置である。
【００２６】
なお、記憶部５８のプログラム記憶領域５８Ａには、ＯＳ６０と、情報処理プログラム６１とが格納されている。また、データ記憶領域５８Ｂには、後述する宛先シート７０、差出人シート８０、及び宛先修正シート１１０のレイアウトを示すレイアウト情報が記憶されている。レイアウト情報は、宛先シート７０、差出人シート８０、及び宛先修正シート１１０に含まれる各記入領域の位置及び大きさ等を示す情報である。
【００２７】
［情報処理システム１００の動作］
図２〜図６を参照して、本実施形態における情報処理システム１００の動作を説明する。本実施形態における情報処理システム１００は、図３（Ｂ）に示される宛先シート７０及び図４（Ｂ）に示される差出人シート８０をスキャナ部１２に読み取らせ、スキャナ部１２によって生成された画像データから抽出された宛先画像及び差出人画像を図６に示される葉書９１、９２、９３に記録させる処理を実行する。葉書９１〜９３は配送物の一例であり、宛先シート７０及び差出人シート８０は原稿の一例である。
【００２８】
まず、複合機１０の画像処理プログラム３１は、ユーザによってスキャナ部１２にセットされた宛先シート７０及び差出人シート８０に対するスキャン処理をスキャナ部１２に実行させる（Ｓ１１）。スキャナ部１２は、例えば図３（Ｂ）に示される宛先シート７０に記録された画像を読み取って、宛先シートデータを生成する。同様に、スキャナ部１２は、例えば図４（Ｂ）に示される差出人シート８０に記録された画像を読み取って、差出人シートデータを生成する。そして、画像処理プログラム３１は、スキャナ部１２によって生成された宛先シートデータ及び差出人シートデータを、通信部２５を通じて情報処理装置５０に出力する。
【００２９】
なお、ステップＳ１１において読み取られる宛先シート７０の枚数は、１枚に限定されず、複数枚であってもよい。また、画像処理プログラム３１は、複数の宛先シート７０に記録された画像を含む１つの宛先シートデータを生成してもよいし、宛先シート７０毎に宛先シートデータを生成してもよい。差出人シート８０についても同様である。また、宛先シートデータと差出人シートデータとは、１つの画像データとして生成されてもよいし、別々の画像データとして生成されてもよい。宛先シートデータ及び差出人シートデータは、画像データの一例である。
【００３０】
図３（Ａ）に示される宛先シート７０には、複数の宛先記入領域７１、７２、７３と、複数のマーク７６、７７、７８とが含まれている。但し、宛先記入領域７１〜７３の数は、図３（Ａ）の例に限定されない。マーク７６〜７８についても同様である。宛先記入領域７１〜７３は、例えば、葉書９１〜９３の宛名面に記録する宛先の情報（以下、「宛先情報」と表記する。）を記入する領域である。宛先記入領域７１は、宛先の郵便番号を記入する郵便番号記入領域７１Ａと、宛先の住所を記入する住所記入領域７１Ｂと、宛先の名前を記入する名前記入領域７１Ｃと、不使用情報を記入する不使用情報記入領域７１Ｄとを含む。宛先記入領域７２、７３のレイアウトは、宛先記入領域７１と同様である。
【００３１】
不使用情報とは、宛先記入領域７１に記入された宛先情報を葉書９１の宛名面に記録しないことを示す情報である。本実施形態では、宛先記入領域７１に記入された宛先情報を使用しない場合に、「レ」の記号が不使用情報記入領域７１Ｄに記入されるものとする。図３（Ａ）に示される郵便番号記入領域７１Ａ、住所記入領域７１Ｂ、及び名前記入領域７１Ｃは、宛先シート７０上において破線で特定されているが、各領域の特定方法はこれに限定されない。宛先記入領域７２、７３についても同様である。また、図４（Ａ）に示される差出人シート８０についても、同様である。
【００３２】
マーク７６〜７８は、当該シートが宛先シート７０であることを情報処理装置５０に認識させるためのものである。本実施形態におけるマーク７６〜７８は、黒丸である。また、本実施形態の宛先シート７０において、マーク７６は左上隅に、マーク７７は左下隅に、マーク７８は右下隅に配置されている。また、マーク７６〜７８は、宛先シート７０が傾いた状態でスキャナ部１２によって読み取られた場合に、当該傾きを補正するためのものである。マーク７６の中心位置とマーク７７の中心位置とを結ぶ仮想直線は、宛先シート７０の短手方向と一致する。一方、マーク７７の中心位置とマーク７８の中心位置とを結ぶ仮想直線は、宛先シート７０の長手方向と一致する。
【００３３】
図４（Ａ）に示される差出人シート８０には、差出人記入領域８１と、複数のマーク８６、８７、８８とが含まれている。差出人記入領域８１は、葉書９１〜９３に記録する差出人の情報（以下、「差出人情報」と表記する。）を記入する領域である。差出人記入領域８１は、郵便番号記入領域８１Ａと、住所記入領域８１Ｂと、名前記入領域８１Ｃとを含む。なお、差出人シート８０には、複数の差出人記入領域が設けられていてもよい。
【００３４】
マーク８６〜８８は、当該シートが差出人シート８０であることを情報処理装置５０に認識させると共に、差出人シート８０の読取時の傾きを補正するためのものである。本実施形態におけるマーク８６〜８８は、黒丸である。また、本実施形態の差出人シート８０において、マーク８６は右上隅に、マーク８７は右下隅に、マーク８８は左下隅に配置されている。さらに、マーク８６の中心位置とマーク８７の中心位置とを結ぶ仮想直線は、差出人シート８０の短手方向と一致する。一方、マーク８７の中心位置とマーク８８の中心位置とを結ぶ仮想直線は、差出人シート８０の長手方向と一致する。
【００３５】
なお、マーク７６〜７８の形状は黒丸に限定されず、宛先シート７０に記入される文字等と混同を生じない形状であればよい。マーク８６〜８８についても同様である。また、宛先シート７０におけるマーク７６〜７８の配置は、差出人シート８０におけるマーク８６〜８８の配置と異なっていれば、どのような配置であってもよい。すなわち、マーク７６〜７８、８６〜８８は、予め定められた形状であって且つ予め定められた位置に配置されていればよい。
【００３６】
画像処理プログラム３１は、例えば、宛先シート７０の出力を指示するユーザの操作が操作部２４によって検知されたことに応じて、図３（Ａ）に示される画像を記録紙に記録するプリント処理をプリンタ部１１に実行させてもよい。差出人シート８０についても同様である。なお、本明細書中の「に応じて」は、当該文字列の前に記載された条件が満たされた場合に、当該文字列の後に記載された処理が実行されることを示す。なお、処理が実行されるタイミングは、条件が満たされた後であればよく、当該条件が満たされた直後である必要は必ずしもない。
【００３７】
なお、図３（Ｂ）に示される宛先シート７０は、例えば、図３（Ａ）に示される宛先シート７０の宛先記入領域７１〜７３に、ユーザによって宛先情報が記入されたものである。同様に、図４（Ｂ）に示される差出人シート８０は、例えば、図４（Ａ）に示される差出人シート８０の差出人記入領域８１に、ユーザによって差出人情報が手書きで記入されたものである。
【００３８】
情報処理装置５０の情報処理プログラム６１は、通信部５５を通じて複合機１０から宛先シートデータを取得したことに応じて、宛先シートデータで示される画像の角度を補正する（Ｓ１３）。具体的には、情報処理プログラム６１は、宛先シートデータを解析することによって、マーク７６〜７８の位置を特定する。そして、情報処理プログラム６１は、マーク７６、７７の中心を通る仮想直線が上下方向を向き、マーク７７、７８の中心を通る仮想直線が左右方向を向くように、当該画像を回転させる。なお、以下の処理は、ステップＳ１３で回転された画像に対して実行される。
【００３９】
次に、情報処理プログラム６１は、データ記憶領域５８Ｂに記憶された宛先シート７０のレイアウト情報に基づいて、宛先シートデータから複数の宛先画像データを抽出する（Ｓ１４）。宛先画像データは、宛先情報が記入された宛先記入領域７１〜７３それぞれの画像（以下、「宛先画像」と表記する。）を示すものである。すなわち、宛先画像とは、葉書９１〜９３の宛先を表す画像である。情報処理プログラム６１は、ステップＳ１４において、３つの宛先画像データを抽出する。
【００４０】
次に、情報処理プログラム６１は、宛先記入領域７１の宛先画像を示す宛先画像データを解析することによって、当該宛先画像に含まれる不使用情報記入領域７１Ｄを抽出する。そして、情報処理プログラム６１は、不使用情報記入領域７１Ｄが空白であることに応じて（Ｓ１５：Ｙｅｓ）、当該宛先画像データから郵便番号画像、住所画像、及び名前画像を抽出する（Ｓ１６）。
【００４１】
郵便番号画像は、宛先情報のうちの郵便番号を表す画像である。換言すれば、郵便番号画像は、図３（Ｂ）に示される宛先シート７０の郵便番号記入領域７１Ａを表す画像である。住所画像は、宛先情報のうちの住所を表す画像である。換言すれば、住所画像は、図３（Ｂ）に示される宛先シート７０の住所記入領域７１Ｂを表す画像である。また、名前画像は、宛先情報のうちの名前を表す画像である。換言すれば、名前画像は、図３（Ｂ）に示される宛先シート７０の名前記入領域７１Ｃを表す画像である。以下、郵便番号画像、住所画像、及び名前画像を総称して部分画像と表記することがある。住所画像は第１画像の一例であり、名前画像は第２画像の一例である。
【００４２】
次に、情報処理プログラム６１は、郵便番号画像に含まれる郵便番号を抽出する（Ｓ１７）。具体的には、情報処理プログラム６１は、ＯＣＲ（Ｏｐｔｉｃａｌ  Ｃｈａｒａｃｔｅｒ  Ｒｅｃｏｇｎｉｔｉｏｎの略）によって、郵便番号画像から７桁の数字列を取得する。郵便番号は、キー情報の一例である。そして、情報処理プログラム６１は、宛先画像データと、ステップＳ１７で抽出された郵便番号とを、当該宛先画像データを識別する識別子と共に、データ記憶領域５８Ｂに記憶させる（Ｓ１８）。識別子は、例えば、情報処理プログラム６１によって一意に割り当てられる。
【００４３】
なお、図５の例では、各部分画像に分割された宛先画像データがデータ記憶領域５８Ｂに記憶されている。しかしながら、データ記憶領域５８Ｂには宛先画像データがそのまま記憶され、後述するステップＳ３３等で各部分画像に分割されてもよい。また、図５の例では、ステップＳ１７で抽出された郵便番号を、郵便番号画像の下に括弧付きで表記している。すなわち、図５の郵便番号画像の各欄において、上段の郵便番号は画像データであり、下段の郵便番号はテキストデータ或いはバイナリデータである。また、ステップＳ１７における郵便番号の抽出処理を省略し、データ記憶領域５８Ｂには郵便番号画像のみが記憶されてもよい。そして、後述するステップＳ３３において、郵便番号画像から郵便番号を示す数字列を取得してもよい。
【００４４】
一方、情報処理プログラム６１は、不使用情報記入領域７１Ｄに「レ」が含まれていることに応じて（Ｓ１５：Ｎｏ）、当該宛先画像データを破棄する（Ｓ１９）。そして、情報処理プログラム６１は、ステップＳ１４で抽出した全ての宛先画像データに対してステップＳ１５〜Ｓ１９の処理を実行する（Ｓ２０：Ｎｏ）。本実施形態では、図５に示されるように、宛先記入領域７１の宛先画像を示す宛先画像データに識別子「００１」が対応づけられ、宛先記入領域７２の宛先画像を示す宛先画像データに識別子「００２」が対応づけられ、宛先記入領域７３の宛先画像を示す宛先画像データに識別子「００３」が対応づけられ、データ記憶領域５８Ｂに記憶される。また、情報処理プログラム６１は、ステップＳ１３〜Ｓ１８の処理を差出人シートデータに対して実行してもよい。
【００４５】
また、情報処理プログラム６１は、宛先画像データ及び差出人画像データのレイアウトを、葉書９１〜９３のレイアウトに合わせて変更する。具体的には、情報処理プログラム６１は、ステップＳ１６で抽出した各部分画像を必要に応じて拡大又は縮小し、且つ当該部分画像を予め定められたレイアウトで配置した画像を示す画像データを、記録指示に含めればよい。これにより、後述するステップＳ２２において、葉書９１に合ったレイアウトで宛先画像及び差出人画像が記録される。葉書９２、９３についても同様である。
【００４６】
次に、情報処理プログラム６１は、通信部５５を通じて複合機１０に記録指示を出力する（Ｓ２１）。記録指示は、宛先画像データそれぞれで示される宛先画像と、当該宛先画像に対応づけられた差出人画像とを、葉書の宛名面に記録させる指示である。本実施形態における記録指示には、３つの宛先画像データと、当該３つの宛先画像データに対応づけられた１つの差出人画像データとが含まれる。第１記録指示には、レイアウト変更後の宛先画像データ及び差出人画像データが含まれる。なお、宛先画像データが複数ある場合において、情報処理プログラム６１は、全ての宛先画像データを含む１つの記録指示を出力してもよいし、宛先画像データ毎の記録指示を繰り返し出力してもよい。
【００４７】
複合機１０の画像処理プログラム３１は、通信部２５を通じて情報処理装置５０から記録指示を取得したことに応じて（Ｓ２１）、当該記録指示に従ったプリント処理をプリンタ部１１に実行させる（Ｓ２２）。本実施形態における画像処理プログラム３１は、図６（Ａ）に示されるように、宛先記入領域７１の宛先画像と、差出人記入領域８１の差出人画像とを、葉書９１の宛名面に対してプリンタ部１１に記録させる。また、画像処理プログラム３１は、図６（Ｂ）に示されるように、宛先記入領域７２の宛先画像と、差出人記入領域８１の差出人画像とを、葉書９２の宛名面に対してプリンタ部１１に記録させる。さらに、画像処理プログラム３１は、図６（Ｃ）に示されるように、宛先記入領域７３の宛先画像と、差出人記入領域８１の差出人画像とを、葉書９３の宛名面に対してプリンタ部１１に記録させる。
【００４８】
なお、第１記録指示は、宛先画像データ及び差出人画像データに代えて、各データの所在を示す所在情報を含んでもよい。すなわち、レイアウト変更後の宛先画像データ及び差出人画像データは、情報処理装置５０のデータ記憶領域５８Ｂ或いはインターネット上のサーバ装置等に記憶されていてもよい。所在情報は、例えば、ＵＲＬ（Ｕｎｉｆｏｒｍ  Ｒｅｓｏｕｒｃｅ  Ｌｏｃａｔｏｒの略）形式であってもよい。そして、画像処理プログラム３１は、第１記録指示を取得したことに応じて、当該所在情報で示される宛先画像データ及び差出人画像データを、通信部２５を通じて取得してもよい。
【００４９】
［宛先画像データ修正処理］
次に、図７〜図９を参照して、宛先画像データ修正処理を説明する。宛先画像データ修正処理は、データ記憶領域５８Ｂに記憶された宛先画像データの一部をユーザに修正させる処理である。
【００５０】
まず、複合機１０の画像処理プログラム３１は、操作部２４を通じてユーザからキー情報の入力を受け付ける（Ｓ３１）。そして、画像処理プログラム３１は、操作部２４を通じてユーザから取得したキー情報を、通信部２５を通じて情報処理装置５０に出力する（Ｓ３２）。本実施形態では、郵便番号「４６２−？？？？」がキー情報として入力されたものとする。なお、「？」はワイルドカードを示す。
【００５１】
情報処理装置５０の情報処理プログラム６１は、通信部５５を通じて複合機１０からキー情報を取得したことに応じて（Ｓ３２）、一覧画像データを生成する（Ｓ３３）。一覧画像データは、例えば図８に示されるように、宛先画像と、当該宛先画像を識別する識別子との複数の組を含む一覧画像を示すデータである。なお、図８に示される一覧画像は、データ記憶領域５８Ｂに記憶された宛先画像データのうち、キー情報「４６２−？？？？」を含む宛先画像データそれぞれの名前画像と、当該宛先画像データに対応づけられた識別子との組を含む。ステップＳ３２でキー情報を取得する情報処理装置５０のＣＰＵ５７は、キー情報取得手段の一例である。
【００５２】
情報処理プログラム６１は、ステップＳ３３において、データ記憶領域５８Ｂに記憶された宛先画像データのうち、郵便番号がキー情報「４６２−？？？？」と一致する宛先画像データを抽出する。次に、情報処理プログラム６１は、抽出された宛先画像データそれぞれの名前画像と、当該宛先画像データに対応づけられた識別子とを、予め定められたレイアウトで配置した一覧画像データを生成する。なお、図８の例では、対応する名前画像と識別子とを上下に隣接させたが、名前画像と識別子との対応関係を認識できる態様であれば、一覧画像のレイアウトはこれに限定されない。
【００５３】
次に、情報処理プログラム６１は、ステップＳ３３で生成した一覧画像データを含む一覧提示指示を、通信部５５を通じて複合機１０に出力する（Ｓ３４）。一覧提示指示は、一覧画像データで示される一覧画像をユーザに提示させる指示である。ステップＳ３４で一覧提示指示を出力する情報処理装置５０のＣＰＵ５７は、一覧提示指示手段の一例である。また、複合機１０の画像処理プログラム３１は、通信部２５を通じて情報処理装置５０から一覧提示指示を取得したことに応じて（Ｓ３４）、一覧画像を一覧記録紙に記録するプリント処理をプリンタ部１１に実行させる（Ｓ３５）。なお、一覧画像を提示する方法はこれに限定されず、例えば、一覧画像を表示部２３に表示させてもよい。
【００５４】
次に、画像処理プログラム３１は、操作部２４を通じてユーザから対象識別子の入力を受け付ける（Ｓ３６）。対象識別子とは、部分画像の修正が必要な宛先画像データを識別するものである。対象識別子とは、一覧画像に含まれる複数の識別子のうちの１つである。また、画像処理プログラム３１は、対象識別子で識別される宛先画像データのうち、郵便番号画像、住所画像、及び名前画像のいずれを修正するかを特定する画像特定情報を、操作部２４を通じてユーザから受け付けてもよい。そして、画像処理プログラム３１は、操作部２４を通じてユーザから取得した対象識別子及び画像特定情報を、通信部２５を通じて情報処理装置５０に出力する（Ｓ３７）。
【００５５】
対象識別子及び画像特定情報をユーザから受け付ける具体的な方法は特に限定されないが、例えば、画像処理プログラム３１は、ステップＳ３６において、対象識別子入力画面を表示部２３に表示させてもよい。対象識別子入力画面は、例えば、対象識別子の入力及び画像特定情報の選択を促すメッセージと、対象識別子が入力されるテキストボックスと、「郵便番号画像」、「住所画像」、及び「名前画像」それぞれに対応づけられたチェックボックスと、「ＯＫ」ボタンとを含む。そして、画像処理プログラム３１は、「ＯＫ」ボタンをタップする操作が操作部２４によって検知されたことに応じて、テキストボックスに入力された数字列を対象識別子として取得し、チェックされたチェックボックスに対応する画像を修正することを示す画像特定情報を取得する。本実施形態では、対象識別子「００１」と、画像特定情報「住所画像」が取得されたものとする。
【００５６】
他の例として、画像処理プログラム３１は、ステップＳ３５において、対象識別子を記入する対象識別子記入領域と、画像特定情報を記入する画像特定情報記入領域とを、一覧画像が記録された一覧記録紙に対してプリンタ部１１に記録させてもよい。そして、画像処理プログラム３１は、対象識別子及び画像特定情報が記入された一覧記録紙をスキャナ部１２に読み取らせて生成された画像データから、対象識別子及び画像特定情報を抽出してもよい。なお、対象識別子記入領域は、例えば、一覧記録紙に記録された各識別子に対応づけられたチェックボックスであってもよい。そして、画像処理プログラム３１は、チェックされたチェックボックスに対応する識別子を、対象識別子として取得してもよい。
【００５７】
さらに他の例として、ステップＳ３５において一覧画像を表示部２３に表示させる場合において、画像処理プログラム３１は、表示部２３をタップする操作が操作部２４によって検知されたことに応じて、タップ位置に表示された識別子を対象識別子として取得してもよい。また、画像処理プログラム３１は、対象識別子に対応づけられた宛先画像を表示部２３に表示させ、表示部２３をタップする操作が操作部２４によって検知されたことに応じて、タップ位置に表示された画像を修正することを示す画像特定情報を取得してもよい。
【００５８】
次に、情報処理装置５０の情報処理プログラム６１は、通信部５５を通じて複合機１０から対象識別子及び画像特定情報を取得したことに応じて（Ｓ３７）、通信部５５を通じて複合機１０に記録指示を出力する（Ｓ３８）。記録指示は、修正前画像を記録紙に記録させる指示であって、当該修正前画像を示す修正前画像データを含む。修正前画像は、対象識別子と、対象識別子に対応づけられた宛先画像データで示される宛先画像と、修正された住所情報（以下、「修正住所情報」と表記する。）が記入される記入領域とを含む画像である。
【００５９】
なお、画像特定情報が「郵便番号画像」である場合の記入領域は、修正された郵便番号情報が記入される領域となる。また、画像特定情報が「名前画像」である場合の記入領域は、修正された名前情報が記入される領域となる。ステップＳ３７で対象識別子を取得する情報処理装置５０のＣＰＵ５７は、識別子取得手段の一例である。また、ステップＳ３８で記録指示を出力する情報処理装置５０のＣＰＵ５７は、記録指示手段の一例である。さらに、修正住所情報は、修正第１情報の一例である。
【００６０】
次に、複合機１０の画像処理プログラム３１は、通信部２５を通じて情報処理装置５０から記録指示を取得したことに応じて（Ｓ３８）、修正前画像を記録紙に記録するプリント処理をプリンタ部１１に実行させる（Ｓ３９）。図９（Ａ）は、修正前画像が記録された記録紙（以下、「宛先修正シート１１０」と表記する。）の一例である。図９（Ａ）に示される宛先修正シート１１０は、対象識別子が記録された識別子記録領域１１１と、宛先画像が記録された宛先記録領域１１２と、マーク１１６、１１７、１１８とを含む。宛先記録領域１１２は、郵便番号画像が記録される郵便番号記録領域１１２Ａと、住所画像が記録される住所記録領域１１２Ｂと、名前画像が記録される名前記録領域１１２Ｃとを含む。
【００６１】
また、マーク１１６〜１１８は、当該シートが宛先修正シート１１０であることを情報処理装置５０に認識させると共に、宛先修正シート１１０の読取時の傾きを補正するためのものである。本実施形態におけるマーク１１６〜１１８は、黒丸である。また、本実施形態の宛先修正シート１１０において、マーク１１６は右上隅に、マーク１１７は右下隅に、マーク１１８は左上隅に配置されている。さらに、マーク１１６の中心位置とマーク１１７の中心位置とを結ぶ仮想直線は、宛先修正シート１１０の短手方向と一致する。一方、マーク１１７の中心位置とマーク１１８の中心位置とを結ぶ仮想直線は、宛先修正シート１１０の長手方向と一致する。
【００６２】
さらに、本実施形態における宛先修正シート１１０において、住所記録領域１１２Ｂは、修正住所情報が記入される記入領域を兼ねている。具体的には、宛先修正シート１１０の住所記録領域１１２Ｂには、住所画像が第１濃度で記録される。第１濃度とは、宛先修正シート１１０を見たユーザが住所画像を認識できる程度に濃く、且つ宛先修正シート１１０を読み取ったスキャナ部１２によって生成された画像に反映されない程度に薄い濃度を指す。そして、修正住所情報は、住所記録領域１１２Ｂ内に、ユーザによって第２濃度で記入される。第２濃度とは、スキャナ部１２によって生成された画像に反映される程度に濃い、すなわち第１濃度より濃い濃度である。
【００６３】
次に、画像処理プログラム３１は、修正住所情報が記入された宛先修正シート１１０をスキャナ部１２に読み取らせることによって、宛先修正シート１１０に記録された画像（以下、「修正後画像」と表記する。）を示す修正後画像データを生成させる（Ｓ４０）。修正後画像は、例えば図９（Ｂ）に示されるように、第１濃度の住所画像が第２濃度の修正住所画像に置換されている他は、図９（Ａ）と同一である。すなわち、修正住所画像は、住所記録領域１１２Ｂに記入された修正住所情報を表す画像である。そして、画像処理プログラム３１は、ステップＳ４０で生成した修正後画像データを、通信部２５を通じて情報処理装置５０に出力する（Ｓ４１）。ステップＳ４１で修正後画像データを取得する情報処理装置５０のＣＰＵ５７は、修正後画像取得手段の一例である。
【００６４】
次に、情報処理装置５０の情報処理プログラム６１は、通信部５５を通じて複合機１０から修正後画像データを取得したことに応じて（Ｓ４１）、当該修正後画像データから対象識別子及び修正住所画像を抽出する。次に、情報処理プログラム６１は、抽出した対象識別子に対応づけられた宛先画像データをデータ記憶領域５８Ｂから取得する。次に、情報処理プログラム６１は、当該宛先画像データに含まれる住所画像を修正住所画像に置換して修正宛先画像データを生成する。そして、情報処理プログラム６１は、修正宛先画像データを対象識別子と対応づけてデータ記憶領域５８Ｂに記憶させる（Ｓ４２）。
【００６５】
なお、情報処理プログラム６１は、修正後画像データから対象識別子、郵便番号画像、修正住所画像、及び名前画像を抽出し、これらを対応づけてデータ記憶領域５８Ｂに記憶させてもよい。すなわち、ステップＳ４２の実行前後において、対象識別子に対応づけられた宛先画像データの住所画像が修正住所画像に置換されていればよい。ステップＳ４２の処理を実行する情報処理装置５０のＣＰＵ５７は、記憶制御手段の一例である。
【００６６】
［本実施形態の作用効果］
本実施形態の情報処理システム１００は、データ記憶領域５８Ｂに記憶された宛先画像データを用いて、図２のステップ２１〜Ｓ２２の処理を実行することができる。具体的には、情報処理プログラム６１は、データ記憶領域５８Ｂに記憶された宛先画像データを含めた記録指示を通信部５５を通じて複合機１０に送信（Ｓ２１）し、複合機１０のプリンタ部１１に宛先画像を葉書に記録させればよい（Ｓ２２）。これにより、図２に示される一連の処理が１回実行された後は、宛先シート７０を破棄することができる。すなわち、宛先シート７０の保管の手間を軽減することができる。
【００６７】
そして、本実施形態によれば、データ記憶領域５８Ｂに記憶された宛先画像の一部を選択的に新たな画像で置換することができる。具体的には、宛先の住所が変更された場合において、宛先修正シート１１０に新たな住所情報のみを記入すれば、郵便番号及び名前を記入し直さなくても、データ記憶領域５８Ｂの宛先画像が修正される。これにより、結婚や引っ越し等によって宛先情報が変更された場合、或いは宛先シート７０に記入された宛先情報に誤記があった場合等でも、簡単に宛先画像を修正することができる。
【００６８】
なお、宛先修正シート１１０のレイアウトは図９の例に限定されない。図１０及び図１１を参照して、宛先修正シート１１０の他の例を説明する。なお、図９と共通する部分には同一の参照番号を付し、詳しい説明を省略するものとする。
【００６９】
図１０（Ａ）に示される宛先修正シート１１０Ａは、データ記憶領域５８Ｂに記憶された宛先画像が記録された宛先記録領域１１２と、修正後の宛先情報が記入される宛先記入領域１１３とが隣接して配置されている。また、宛先記入領域１１３は、修正後の郵便番号が記入される郵便番号記入領域１１３Ａと、修正後の住所が記入される住所記入領域１１３Ｂと、修正後の名前が記入される名前記入領域１１３Ｃとを含む。さらに、図１０（Ａ）に示される宛先修正シート１１０Ａには、宛先記入領域１１３の各記入領域１１３Ａ〜１１３Ｂに対応づけられた修正対象情報記入領域１１４Ａ、１１４Ｂ、１１４Ｃが設けられている。修正対象情報記入領域１１４Ａ〜１１４Ｃには、例えば、対応する記入領域に記入された情報でデータ記憶領域５８Ｂに記憶された宛先画像を修正する場合に「レ」の記号が記入される。
【００７０】
そして、図１０（Ｂ）に示されるように、住所記入領域１１３Ｂに修正住所情報が記入され、且つ対応する修正対象情報記入領域１１４Ｂに「レ」が記入された宛先修正シート１１０Ａに対して図７のステップＳ４０〜Ｓ４２の処理が実行されることにより、識別子「００１」に対応づけらた宛先画像データの住所画像が修正住所画像に置換される。一方、図１０（Ｂ）の例では修正対象情報記入領域１１４Ａ、１１４Ｃに「レ」が記入されていないので、識別子「００１」に対応づけられた宛先画像データの郵便番号画像及び名前画像は置換されない。
【００７１】
また、図１１（Ａ）は、図７のステップＳ３７、Ｓ３８の間において、複合機１０の表示部２３に表示される画面の例である。具体的には、情報処理装置５０の情報処理プログラム６１は、ステップＳ３７で取得した対象識別子に対応づけられた宛先画像データで示される宛先画像を表示部２３に表示させる表示指示を、通信部５５を通じて複合機１０に出力する。表示指示を出力する情報処理装置５０のＣＰＵ５７は、表示指示手段の一例である。
【００７２】
次に、複合機１０の画像処理プログラム３１は、通信部２５を通じて情報処理装置５０から表示指示を取得したことに応じて、図１１（Ａ）に示されるように、宛先画像を表示部２３に表示させる。また、画像処理プログラム３１は、表示部２３に表示された宛先画像のうちの修正が必要な領域（以下、「修正領域」と表記する）を特定する操作を、操作部２４を通じてユーザから受け付ける。画像処理プログラム３１は、例えば、表示部２３上で指をスライドさせる操作が操作部２４によって検知されたことに応じて、当該スライド操作の始点と終点とを対角線とする矩形の領域を、修正領域として特定してもよい。そして、画像処理プログラム３１は、このように表示部２３上で指定された修正領域を特定する領域特定情報を、通信部２５を通じて情報処理装置５０に出力する。図１１（Ａ）の例では、住所画像のうちの「Ｌ丁目Ｍ−Ｎ」が記録された領域が修正領域として指定されている。
【００７３】
次に、情報処理装置５０の情報処理プログラム６１は、通信部５５を通じて複合機１０から領域特定情報を取得したことに応じて、当該領域特定情報で特定される領域を空白に置換した住所画像を記入領域に記録させる記録指示を、通信部５５を通じて複合機１０に出力する（Ｓ３８）。領域特定情報を取得する情報処理装置５０のＣＰＵ５７は、領域特定情報取得手段の一例である。
【００７４】
次に、複合機１０の画像処理プログラム３１は、通信部２５を通じて情報処理装置５０から上記の記録指示を取得したことに応じて、例えば図１１（Ｂ）に示されるような宛先修正シート１１０Ｂを出力する。すなわち、図１１（Ｂ）に示される住所記録領域１１２Ｂは、記入領域を兼ねている。そして、住所記録領域１１２Ｂの「北区」の後に新たな住所「Ｄ丁目Ｅ−Ｆ」が記入された宛先修正シート１１０Ｂがスキャナ部１２によって読み取られることにより、図７のステップＳ４１、Ｓ４２の処理が実行される。
【００７５】
また、本実施形態によれば、一覧画像が記録された記録紙から特定識別子を選択することができるので、修正対象の宛先画像データを簡単に特定することができる。また、データ記憶領域５８Ｂに記憶された宛先画像データのうち、キー情報によって絞り込まれた宛先画像データに対応づけられた識別子のみが一覧画像に含まれるので、修正対象の宛先画像データをさらに簡単に特定することができる。なお、数字列で構成される郵便番号をキー情報として採用することにより、ＯＣＲによる誤認率を低下させることができる。但し、キー情報の例はこれに限定されない。
【００７６】
また、宛先画像のうちの名前画像のみを一覧画像に含め、郵便番号情報及び住所情報を一覧画像に含めないことにより、記録紙に一覧表示できる識別子の数を増やすことができる。これにより、これにより、目的とする識別子を探しやすくなると共に、一覧画像を記録する記録紙を節約できる。但し、一覧画像に含める画像は上記の例に限定されず、住所情報のみが含まれてもよいし、宛先画像全体が含まれてもよい。
【００７７】
さらに、１枚の記録紙に記録される識別子の数は特に限定されないが、例えば、宛先シート７０に記入可能な宛先画像の数より多くの宛先画像が含まれていることが望ましい。すなわち、１枚の記録紙に記録される一覧画像に含まれる宛先画像の数ｍは、１枚の宛先シート７０に含まれる宛先画像の数ｎより多いことが望ましい。なお、ｍ、ｎは自然数である。また、本実施形態ではｎ＝３である。但し、キー情報によって抽出される宛先画像データの数が３未満となる可能性がある。すなわち、１枚の記録紙に記録される一覧画像は、４個以上の宛先画像を包含可能なレイアウトであればよい。
【００７８】
また、本実施形態では、ステップＳ３９において宛先修正シート１１０に対象識別子が記録され、ステップＳ４２において修正後画像データから抽出された対象識別子に対応づけられた宛先画像データが修正される。これにより、ステップＳ３９が実行されてすぐステップＳ４０が実行されなくても、宛先画像データを適切に修正することができる。但し、上記の例に限定されず、複合機１０の画像処理プログラム３１は、ステップＳ３９を実行した後、対象識別子を記憶した状態でステップＳ４０が実行されるまで待機していてもよい。
【００７９】
また、本実施形態では、葉書９１〜９３の宛名面に宛先画像を記録する例を説明したが、これに限定されない。例えば、封筒やクリスマスカード等に宛先画像を記録してもよい。また、宛先画像が記録されるのは、配送物そのものでなくてもよい。例えば、記録紙の一例である宛先ラベルに宛先画像が記録されてもよい。そして、宛先画像が記録された宛先ラベルは、葉書、封筒、小包等の表面にユーザによって貼付されてもよい。
【００８０】
また、情報処理装置５０は、１台の装置であってもよいし、通信ネットワーク１０２を介して接続された複数の装置の集合体であってもよい。そして、図２及び図７に示される各処理は、当該複数の装置で分担されてもよい。また、本実施形態では、図２及び図７に示される処理が情報処理装置５０の情報処理プログラム６１によって実行された例を説明したが、本発明はこれに限定されない。すなわち、図２及び図７に示される処理の一部及び全部は、複合機１０の画像処理プログラム３１によって実行されてもよい。
【００８１】
また、本実施形態では、複合機１０と情報処理装置５０とが直接通信することによって、図２及び図７に示される処理を実行する例を説明したが、複合機１０と情報処理装置５０との間に他の装置が介在してもよい。例えば、複合機１０と情報処理装置５０とは、スマートフォン、タブレット端末、或いはＰＣ（Ｐｅｒｓｏｎａｌ  Ｃｏｍｐｕｔｅｒの略）等を介して通信を行ってもよい。スマートフォン、タブレット端末、或いはＰＣは、中継装置或いは外部装置の一例である。なお、「複合機１０と情報処理装置５０とが直接通信する」とは、複合機１０と情報処理装置５０との間に、ゲートウェイサーバ、ルータ、ハブ等のネットワーク機器が介在していることを妨げない。
【００８２】
また、本実施形態では、プリンタ部１１及びスキャナ部１２を備える複合機１０の例を説明したが、これに限定されない。例えば、宛先シート７０、差出人シート８０、及び宛先修正シート１１０に記録された画像を読み取る読取装置と、記録指示に従って記録紙に画像を記録する記録装置とは、互いに独立した別の装置であってもよい。例えば、複合機１０と情報処理装置５０との間にスマートフォンが介在している場合において、スマートフォンに搭載されたカメラで宛先シート７０、差出人シート８０、及び宛先修正シート１１０を撮影することによって、宛先シートデータ、差出人シートデータ、及び修正後画像データが生成されてもよい。そして、当該スマートフォンは、生成した各画像データを情報処理装置５０に送信すると共に、情報処理装置５０から送信された記録指示等を複合機１０に中継してもよい。
【００８３】
また、情報処理システム１００は、図１２に示されるように、複合機１０と情報処理装置５０とに加えて、スマートフォン１０３と、サーバ装置１０４とをさらに備えてもよい。なお、図１２には図示を省略するが、複合機１０、情報処理装置５０、スマートフォン１０３、及びサーバ装置１０４は、通信ネットワーク１０２を通じて相互に接続される。また、サーバ装置１０４の具体例は特に限定されないが、例えば、「Ｇｏｏｇｌｅ（登録商標）  Ｃｌｏｕｄ  Ｐｌａｔｆｏｒｍ」等の公知のサービスを利用することができる。
【００８４】
上記構成の情報処理システム１００において、情報処理装置５０は、宛先シートデータ及び差出人シートデータを、通信部５５を通じてスマートフォン１０３から取得する。次に、情報処理装置５０は、ステップＳ１３〜Ｓ２０の処理を実行する。そして、情報処理装置５０は、通信部５５を通じてサーバ装置１０４に記録指示を出力する。なお、情報処理装置５０は、複合機１０を識別する識別子を、宛先シートデータ及び差出人シートデータと共にスマートフォン１０３から取得し、記録指示に含めてサーバ装置１０４に出力する。サーバ装置１０４は、情報処理システム１００から取得した記録指示を記憶部に記憶させる。
【００８５】
一方、複合機１０は、当該複合機１０の識別子を含む記録指示が記憶部に記憶されているか否かを、通信部２５を通じてサーバ装置１０４に、所定の時間間隔で繰り返し問い合わせる。そして、複合機１０は、自装置の識別子を含む記録指示がサーバ装置１０４の記憶部に記憶されていたことに応じて、通信部２５を通じてサーバ装置１０４から当該記録指示を取得し、プリント処理を実行する。上記構成によっても、宛先画像を葉書に記録することができる。
【００８６】
また、各実施形態の複合機１０及び情報処理装置５０において、記憶部２８、５８のプログラム記憶領域２８Ａ、５８Ａに記憶された各種プログラムがＣＰＵ２７、５７によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【００８７】
さらに、本発明は、複合機１０或いは情報処理装置５０として実現できるだけでなく、複合機１０或いは情報処理装置５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０２を介して複合機１０或いは情報処理装置５０に接続可能なサーバ装置に搭載された記憶部を含んでもよい。そして、サーバ装置の記憶部に記憶されたプログラムは、当該プログラムを示す情報或いは信号として、インターネット等の通信ネットワーク１０２を介して配信されてもよい。
【符号の説明】
【００８８】
１０・・・複合機
１２・・・スキャナ部
２３，５３・・・表示部
２４，５４・・・操作部
２５，５５・・・通信部
２７，５７・・・ＣＰＵ
２８，５８・・・記憶部
３１・・・画像処理プログラム
５０・・・情報処理装置
６１・・・情報処理プログラム
【図１】
2015126495.tif 000003
【図２】
2015126495.tif 000004
【図３】
2015126495.tif 000005
【図４】
2015126495.tif 000006
【図５】
2015126495.tif 000007
【図６】
2015126495.tif 000008
【図７】
2015126495.tif 000009
【図８】
2015126495.tif 000010
【図９】
2015126495.tif 000011
【図１０】
2015126495.tif 000012
【図１１】
2015126495.tif 000013
【図１２】
2015126495.tif 000014